(57)【要約】【課題】  従来の技術においては、新たなコンテンツの記録を行うために記録媒体に記録されたコンテンツを消去する場合、消去対象となるコンテンツをユーザが選択して一つずつ消去していく必要があった。【解決手段】本発明は、ユーザがコンテンツを消去する際に、消去対象として選択されたコンテンツに関連付けられたコンテンツのうち古いコンテンツのみを一括選択して消去対象コンテンツとし、簡便な操作で複数のコンテンツを消去可能なコンテンツ処理装置をする。【選択図】          図１
2007312042.tif 000002
【特許請求の範囲】
【請求項１】
コンテンツを蓄積し、管理する蓄積管理部と、
蓄積管理されているコンテンツどうしの消去関連付情報を保持する消去関連付情報保持部と、
蓄積管理部に蓄積されている複数のコンテンツを一括消去可能な消去部と、
一括消去すべき複数のコンテンツを消去関連付情報に基づいて選択する一括消去対象選択部と、
を有するコンテンツ処理装置。
【請求項２】
ＥＰＧ情報を取得するＥＰＧ情報取得部を有し、
蓄積管理部は、ＥＰＧ情報を利用してコンテンツを蓄積し、管理し、
消去関連付情報を、ＥＰＧ情報から生成するＥＰＧ消去関連付情報生成部を有する請求項１に記載のコンテンツ処理装置。
【請求項３】
録画予約情報を取得する録画予約情報取得部を有し、
蓄積管理部は、録画予約情報を利用してコンテンツを蓄積し、管理し、
消去関連付情報を、録画予約情報から生成する予約消去関連付情報生成部を有する請求項１又は２に記載のコンテンツ処理装置。
【請求項４】
一括消去対象選択部は、
蓄積管理部に蓄積し管理されている一のコンテンツを特定するコンテンツ特定手段と、
特定されたコンテンツにかかる消去関連付情報により関連付けられている他のコンテンツを特定する他コンテンツ特定手段と、
を有し、特定されたコンテンツを一括消去すべきコンテンツとして選択出力する請求項１から３のいずれか一に記載のコンテンツ処理装置。
【請求項５】
消去関連付情報生成部は、生成される消去関連付情報が定める消去すべきコンテンツの関連性を定めるための条件である条件情報を保持する条件情報保持手段を有する請求項２又は３に記載のコンテンツ処理装置。
【請求項６】
条件情報を入力させるための条件情報入力部をさらに有する請求項５に記載のコンテンツ処理装置。
【請求項７】
ＧＵＩ部をさらに有し、
前記ＧＵＩ部は、一括消去対象選択部にて選択された一括消去すべきコンテンツを表示する請求項１から６のいずれか一に記載のコンテンツ処理装置。
【請求項８】
前記ＧＵＩ部は、条件情報入力部に条件情報を入力させるためのインターフェイス機能をも有する請求項６に従属する請求項７に記載のコンテンツ処理装置。
【請求項９】
コンテンツを蓄積し、管理する蓄積管理ステップと、
前記蓄積管理ステップにて蓄積管理されているコンテンツの中から一括消去すべき複数のコンテンツを、コンテンツどうしの消去関連付情報に基づいて選択する一括消去対象選択ステップと、
前記一括消去対象選択ステップにて選択された複数のコンテンツを一括消去する消去ステップと、
を有するコンテンツ処理方法。
【請求項１０】
ＥＰＧ情報を取得するＥＰＧ情報取得ステップと、
消去関連付情報を、ＥＰＧ情報から生成するＥＰＧ消去関連付情報生成ステップと、
をさらに有し、
前記蓄積管理ステップにおけるコンテンツの蓄積管理は、ＥＰＧ情報を利用したコンテンツの蓄積管理であることを特徴とする、
請求項９に記載のコンテンツ処理方法。
【請求項１１】
録画予約情報を取得する録画予約情報取得ステップと、
消去関連付情報を、録画予約情報から生成する予約消去関連付情報生成ステップと、
をさらに有し、
前記蓄積管理ステップにおけるコンテンツの蓄積管理は、録画予約情報を利用したコンテンツの蓄積管理であることを特徴とする請求項９又は１０に記載のコンテンツ処理方法。
【請求項１２】
前記一括消去対象選択ステップは、
前記蓄積管理ステップにて蓄積管理されている一のコンテンツを特定する操作の入力を受け付けるサブステップと、
前記サブステップにて特定されたコンテンツにかかる消去関連付情報により関連付けられている他のコンテンツを特定するサブステップと、
前記各サブステップにて特定された一のコンテンツ及び他のコンテンツを一括消去すべきコンテンツとして選択出力するサブステップと
を有する請求項９から１１のいずれか一に記載のコンテンツ処理方法。
【請求項１３】
前記消去関連付情報生成ステップは、
生成される消去関連付情報が定める消去すべきコンテンツの関連性を定めるための条件である条件情報を取得するサブステップと、
前記サブステップにて取得した条件情報に基づいて消去関連付情報を生成するサブステップと
を有する請求項１０又は１１に記載のコンテンツ処理方法。
【請求項１４】
条件情報を入力させるための条件情報入力ステップをさらに有する請求項１３に記載のコンテンツ処理方法。
【請求項１５】
前記一括消去対象選択ステップにて選択された一括消去すべきコンテンツを表示する表示ステップ
をさらに有する請求項９から１４のいずれか一に記載のコンテンツ処理方法。
【発明の詳細な説明】
【技術分野】
【０００１】
本発明は、複数のコンテンツを関連付けて一括消去可能なコンテンツ処理装置に関する。
【背景技術】
【０００２】
近年、デジタルデータ処理技術の進歩やハードディスク、ＤＶＤ、ＳＤカードなど記録媒体の大容量化及び低価格化等に伴って、それら記録媒体の内蔵もしくは着脱可能なコンテンツ処理装置が普及している。また、コンテンツの記録を積み重ねることにより記録媒体の空き容量が減少し、新たなコンテンツの記録が不可能になってしまったとき、記録媒体に記録されたコンテンツからユーザが選択した任意のコンテンツを消去して新たなコンテンツの記録を行う機能を備えたものも存在する（例えば特許文献１参照）。
【特許文献１】特開２００４‐０８０６２３号公報
【発明の開示】
【発明が解決しようとする課題】
【０００３】
しかし、従来の技術においては、新たなコンテンツの記録を行うために記録媒体に記録されたコンテンツを消去する場合、消去対象となるコンテンツはユーザが一つずつ選択して消去する必要があった。例えば、全１２回の連続ドラマを記録し、ユーザが第１０回まで見終わった時点でハードディスクの容量が足りなくなったので、見終わったコンテンツを消去するような場合、１０個のコンテンツを1つずつ選択して消去する必要があり非常に面倒であるという問題があった。一方、タイトルや記録日時などによって関連付けられたコンテンツどうし（例えば、同じシリーズのドラマどうし）の場合、あるコンテンツを消去してよい場合には、それより古い時期に記録されたものは合わせて消去してよい場合が多いことが経験則上明らかにされている。
【０００４】
本発明は、このような経験則に鑑みたものであり、本発明が解決すべき課題は、ユーザがコンテンツを消去する際に、消去対象として選択されたコンテンツに関連付けられたコンテンツのうち古いコンテンツのみを消去するなど、関連付情報に基づいて消去対象コンテンツを一括選択して消去することが可能なコンテンツ処理装置を提供することにある。
【課題を解決するための手段】
【０００５】
以上の課題を解決するため、本発明のうち、請求項１に記載の発明は、コンテンツを蓄積し、管理する蓄積管理部と、蓄積管理されているコンテンツどうしの消去関連付情報を保持する消去関連付情報保持部と、蓄積管理部に蓄積されている複数のコンテンツを一括消去可能な消去部と、一括消去すべき複数のコンテンツを消去関連付情報に基づいて選択する一括消去対象選択部とを有するコンテンツ処理装置を提供する。また、請求項２に記載の発明は、ＥＰＧ情報を取得するＥＰＧ情報取得部を有し、蓄積管理部は、ＥＰＧ情報を利用してコンテンツを蓄積し、管理し、消去関連付情報を、ＥＰＧ情報から生成するＥＰＧ消去関連付情報生成部を有する請求項１に記載のコンテンツ処理装置を提供する。また、請求項３に記載の発明は、録画予約情報を取得する録画予約情報取得部を有し、蓄積管理部は、録画予約情報を利用してコンテンツを蓄積し、管理し、消去関連付情報を、録画予約情報から生成する予約消去関連付情報生成部を有する請求項１又は２に記載のコンテンツ処理装置を提供する。また、請求項４に記載の発明は、一括消去対象選択部は、蓄積管理部に蓄積し管理されている一のコンテンツを特定するコンテンツ特定手段と、特定されたコンテンツにかかる消去関連付情報により関連付けられている他のコンテンツを特定する他コンテンツ特定手段とを有し、特定されたコンテンツを一括消去すべきコンテンツとして選択出力する請求項１から３のいずれか一に記載のコンテンツ処理装置を提供する。また、請求項５に記載の発明は、消去関連付情報生成部は、生成される消去関連付情報が定める消去すべきコンテンツの関連性を定めるための条件である条件情報を保持する条件情報保持手段を有する請求項２又は３に記載のコンテンツ処理装置を提供する。また、請求項６に記載の発明は、条件情報を入力させるための条件情報入力部をさらに有する請求項５に記載のコンテンツ処理装置を提供する。また、請求項７に記載の発明は、ＧＵＩ部をさらに有し、前記ＧＵＩ部は、一括消去対象選択部にて選択された一括消去すべきコンテンツを表示する請求項１から６のいずれか一に記載のコンテンツ処理装置を提供する。また、請求項８に記載の発明は、前記ＧＵＩ部は、条件情報入力部に条件情報を入力させるためのインターフェイス機能をも有する請求項６に従属する請求項７に記載のコンテンツ処理装置を提供する。
【０００６】
また、請求項９に記載の発明は、コンテンツを蓄積し、管理する蓄積管理ステップと、前記蓄積管理ステップにて蓄積管理されているコンテンツの中から一括消去すべき複数のコンテンツを、コンテンツどうしの消去関連付情報に基づいて選択する一括消去対象選択ステップと、前記一括消去対象選択ステップにて選択された複数のコンテンツを一括消去する消去ステップとを有するコンテンツ処理方法を提供する。また、請求項１０に記載の発明は、ＥＰＧ情報を取得するＥＰＧ情報取得ステップと、消去関連付情報を、ＥＰＧ情報から生成するＥＰＧ消去関連付情報生成ステップとをさらに有し、前記蓄積管理ステップにおけるコンテンツの蓄積管理は、ＥＰＧ情報を利用したコンテンツの蓄積管理であることを特徴とする請求項９に記載のコンテンツ処理方法を提供する。また、請求項１１に記載の発明は、録画予約情報を取得する録画予約情報取得ステップと、消去関連付情報を、録画予約情報から生成する予約消去関連付情報生成ステップとをさらに有し、前記蓄積管理ステップにおけるコンテンツの蓄積管理は、録画予約情報を利用したコンテンツの蓄積管理であることを特徴とする請求項９又は１０に記載のコンテンツ処理方法を提供する。また、請求項１２に記載の発明は、前記一括消去対象選択ステップは、前記蓄積管理ステップにて蓄積管理されている一のコンテンツを特定する操作の入力を受け付けるサブステップと、前記サブステップにて特定されたコンテンツにかかる消去関連付情報により関連付けられている他のコンテンツを特定するサブステップと、前記各サブステップにて特定された一のコンテンツ及び他のコンテンツを一括消去すべきコンテンツとして選択出力するサブステップとを有する請求項９から１１のいずれか一に記載のコンテンツ処理方法を提供する。また、請求項１３に記載の発明は、前記消去関連付情報生成ステップは、生成される消去関連付情報が定める消去すべきコンテンツの関連性を定めるための条件である条件情報を取得するサブステップと、前記サブステップにて取得した条件情報に基づいて消去関連付情報を生成するサブステップとを有する請求項１０又は１１に記載のコンテンツ処理方法を提供する。また、請求項１４に記載の発明は、条件情報を入力させるための条件情報入力ステップをさらに有する請求項１３に記載のコンテンツ処理方法を提供する。また、請求項１５に記載の発明は、前記一括消去対象選択ステップにて選択された一括消去すべきコンテンツを表示する表示ステップをさらに有する請求項９から１４のいずれか一に記載のコンテンツ処理方法を提供する。
【発明の効果】
【０００７】
本発明により、ユーザがコンテンツを消去する際に、消去対象として選択されたコンテンツに関連付けられたコンテンツのうち古いコンテンツのみを消去するなど、関連付情報に基づいて消去対象コンテンツを一括して選択して消去することが可能なコンテンツ処理装置を提供することが可能となる。
【発明を実施するための最良の形態】
【０００８】
以下に、本発明の実施形態を説明する。実施形態と請求項の相互の関係は以下のとおりである。実施形態１は主に請求項１、請求項９などに関し、実施形態２は主に請求項２、請求項１０などに関し、実施形態３は主に請求項３、請求項１１などに関し、実施形態４は主に請求項４、請求項１２などに関し、実施形態５は主に請求項５、請求項１３などに関し、実施形態６は主に請求項６、請求項１４などに関し、実施形態７は主に請求項７、請求項１５などに関し、実施形態８は主に請求項８などに関する。なお、本発明はこれら実施形態に何ら限定されるものではなく、その要旨を逸脱しない範囲において、種々なる態様で実施しうる。
【０００９】
≪実施形態１≫（実施形態１の概要）本実施形態の装置は、コンテンツを蓄積・管理する手段と、蓄積管理されているコンテンツどうしの消去関連付情報を保持する手段と、蓄積されている複数のコンテンツを一括消去可能な手段と、一括消去すべき複数のコンテンツを消去関連付情報に基づいて選択する手段とを有するコンテンツ処理装置である。
【００１０】
（実施形態１の構成）図１は、本実施形態のコンテンツ処理装置の機能ブロックの一例を示す図である。本件発明の構成要素である各部は、ハードウェア、ソフトウェア、ハードウェアとソフトウェアの両者、のいずれかによって構成される。たとえば、これらを実現する一例として、コンピュータを利用する場合には、ＣＰＵ、メモリ、バス、インターフェイス、周辺機器などから構成されるハードウェアと、これらのハードウェア上にて実行可能なソフトウェアを挙げることができる。具体的には、メモリ上に展開されたプログラムを順次実行することで、メモリ上のデータや、インターフェイスを介して入力されるデータの加工、蓄積、出力などにより各部の機能が実現される。本図に示すように、本例の「コンテンツ処理装置」０１００は、「蓄積管理部」０１０１と、「消去関連付情報保持部」０１０２と、「消去部」０１０３と、「一括消去対象選択部」０１０４とを有する。
【００１１】
「蓄積管理部」０１０１は、コンテンツを蓄積し、管理するように構成されている。ここでいう「コンテンツ」は、ＢＳ放送、ＣＳ放送、地上波デジタル放送などのデジタル放送映像コンテンツが典型であるが、これに限定されるものではなく、アナログ放送にかかるコンテンツであってもよい。さらに、映像コンテンツを含まない、例えば音声のみのコンテンツであってもよい。「蓄積」に際しては、コンテンツ処理装置が、放送コンテンツを、例えばアンテナを介してチューナで受信し、必要に応じて圧縮符号化したコンテンツを、記憶装置（記録媒体）に蓄積する。記憶装置（記録媒体）は、内部記憶装置（メモリ）であるか、外部記憶装置であるかを問わない。後者には、例えばハードディスク、ＤＶＤ、ＣＤ‐ＲＯＭ、ＳＤカードなどが含まれる。また、「管理」とは、蓄積したコンテンツを一定の条件に基づいて選択可能な状態にしておくことをいい、典型的にはこれを識別するための識別情報と関連付けておくことをいう。また、このほか「管理」には、コンテンツの追加・変更・削除も含まれる。例えば、識別情報には、コンテンツのタイトル、番組Ｎｏ、放送日時、放送チャンネルなどが含まれる。この識別情報は、装置外にて生成されたものを取得してもよいし、装置が自ら生成して取得してもよい。前者の例としては、例えば、放送局などから送信されるＥＰＧ情報を取得して、該情報中に含まれるコンテンツのタイトルや放送日時等を識別情報として利用する場合が該当する。あるいは、例えばユーザがリモコン等を操作して録画予約情報などを入力した場合に、該情報中に含まれるコンテンツのタイトルや放送日時等を識別情報として利用する場合も該当する。ＥＰＧ情報や録画予約情報は、通例この中に識別情報として利用可能な番組のタイトルや放送日時、放送チャンネル等の情報を含んでいることから、これらの情報を識別情報として利用することが可能であり有用である。一方、後者の例としては、コンテンツ処理装置が記録したコンテンツに記録順など予め保持された一定のルールに則ってシリアル番号を付する形で識別情報を生成して利用する場合が該当する。
【００１２】
「消去関連付情報保持部」０１０２は、蓄積管理されているコンテンツどうしの消去関連付情報を保持するように構成されている。「消去関連付情報」とは、一括消去すべき複数のコンテンツを関連付けるための情報である。換言すれば、同一の消去関連付情報に該当するコンテンツどうしが一括消去の対象となる。この消去関連付情報も、識別情報と同様、装置外で生成されて取得されたものであってもよいし、装置が自ら生成して取得してもよい。そして、いずれの場合においても、通例消去関連付情報は識別情報を構成する項目を組み合わせたり、一部を抽出したりして、その項目に該当する条件を定めることで生成される。図２を用いて、識別情報に基づいて生成された消去関連付情報の一例を示す。図２は、蓄積管理部０１０１にて蓄積されたコンテンツの識別情報をテーブル状に管理している状態を示している。本図の例では、「ＩＤ番号」の項目はコンテンツに一意の番号を付し、他の「ｃｈ」、「タイトル」、「放送日」、「放送時間」などの項目では重複を許容したデータを含む非正規形のデータベースとなっている。本図において、例えば、「ｃｈ＝８」との条件でデータベースを検索し、該当するコンテンツを抽出すると、ＩＤ番号「１」、「３」、「５」、「６」にて識別されるコンテンツを関連付けることができる。同様に、特定のチャンネルの特定のタイトルのコンテンツのみを抽出するためには、「ｃｈ＝８  ＡＮＤ  タイトル＝Ａ」との条件でデータベースを検索し、該当するコンテンツを抽出すると、ＩＤ番号「１」、「３」、「６」にて識別されるコンテンツを関連付けることができる。また、同様に、「放送日≦７月２４日」との条件でデータベースを検索し、該当するコンテンツを抽出すると、ＩＤ番号「１」、「２」、「３」にて識別されるコンテンツを関連付けることができる。これらの関連付けは、例えば、ＳＱＬ（Ｓｔｒｕｃｔｕｒｅｄ Ｑｕｅｒｙ Ｌａｎｇｕａｇｅ）等により行うことが可能である。すなわち、消去関連付情報は、蓄積管理部に蓄積・管理されているコンテンツのうちから消去対象となるコンテンツを検索するための検索キーとなる情報である。
【００１３】
「消去部」０１０３は、蓄積管理部０１０１に蓄積されている複数のコンテンツを一括消去可能なように構成されている。「一括消去」とは、一つの消去命令に基づいて（より具体的には、例えばユーザの１回の消去キーの押下など、一つの操作に基づく入力を受け付けて）、後述する一括消去対象選択部０１０４が選択するコンテンツをすべて消去することをいう。この一括消去のための具体的構成の一例としては、例えば、ＣＰＵが一括消去プログラムを実行して、当該プログラム中の消去命令に従い、一括消去対象として選択されたコンテンツを格納する領域を取得し、当該領域に格納されたすべてのコンテンツを順次消去するといったものが考えられる。
【００１４】
「一括消去対象選択部」０１０４は、一括消去すべき複数のコンテンツを消去関連付情報に基づいて選択するように構成されている。この選択は、例えば上述の例のような消去関連付け情報に基づいて行われる。例えば、図２で示した例に即せば、消去関連付情報「ｃｈ＝８  ＡＮＤ  タイトル＝Ａ」に基づいて、ＩＤ番号「１」、「３」、「６」にて識別されるコンテンツが一括消去対象コンテンツとして選択される。
【００１５】
次に、本実施形態の装置のハードウェア構成について説明する。図３は本実施形態のコンテンツ処理装置のハードウェア構成の一例を示す概略図である。本図に示すように、本例の装置の「蓄積管理部」は、「記憶装置（記録媒体）」０３０１と、「メインメモリ」０３０２と、「ＣＰＵ」０３０３と、「インターフェイス」０３０４と、「Ｉ／Ｏ」０３０５と、「ディスプレイ」０３０６などから構成され、「消去関連付情報保持部」と、「消去部」と、「一括消去対象選択部」は、「記憶装置（記録媒体）」と、「メインメモリ」と、「ＣＰＵ」などから構成される。これらは「システムバス」０３０７などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。
【００１６】
まず、コンテンツの蓄積管理にかかる構成について説明する。記憶装置には予め蓄積管理プログラムが記憶されている。そこで、ＣＰＵがメインメモリに展開された蓄積管理プログラムを実行してインターフェイスを介してコンテンツを取得し、メインメモリに一旦保持した後、記憶装置に蓄積する。例えば、コンテンツが放送コンテンツの場合であれば、放送局から放送された映像信号を含む放送信号を図示省略したアンテナを介して図示省略したチューナで受信し、要すれば圧縮符号化を行った上で記憶装置に記憶する。また、ＣＰＵは蓄積管理プログラムを実行して、記憶したコンテンツを管理する。具体的には、当該コンテンツを識別情報と関連付けて、コンテンツとともに当該識別情報も記憶する。この識別情報の具体例は図２に示したとおりである。あるいは、識別情報として例えばＥＰＧ（Ｅｌｅｃｔｒｏｎｉｃ  Ｐｒｏｇｒａｍ  Ｇｕｉｄｅ）情報や録画予約情報を利用してもよい。この場合の識別情報の取得のための具体的構成としては、例えば、装置外で生成されたＥＰＧ情報などの中から一定の情報を抽出して識別情報を取得する場合には、ＣＰＵが蓄積管理プログラムを実行して、インターフェイスで受信したＥＰＧ情報などの中から予め保持されたルールに従い抽出した情報、あるいはユーザ操作に基づく入力を受け付けた信号に含まれる情報から抽出した情報を識別情報として取得してメインメモリに保持する。
【００１７】
次に、一括消去対象選択にかかる構成について説明する。記憶装置には予め消去関連付情報取得プログラムが記憶されている。そこで、インターフェイスを介して受信したコンテンツを蓄積しようとする場合に記憶装置の容量が不足しており、記録済みのコンテンツを消去しようとする場合、まず、ＣＰＵは、メインメモリに展開された当該プログラムを実行して、消去関連付情報を取得する。これは、予め記憶装置に保持していたものを取得してもよいし、新たに生成して取得してもよい。後者の場合は、例えばユーザによるディスプレイに表示された記録済みコンテンツの一覧の中から特定のコンテンツを選択する操作を受け付けて、当該コンテンツの識別情報を検索キーとした消去関連付情報を生成する。例えば、蓄積管理部にて蓄積されているコンテンツの識別情報が、図２に示すテーブル状に管理されている状態において、ＩＤ番号「６」のコンテンツの識別情報を特定する入力をユーザが行うと、コンテンツ処理装置では、この入力を受け付けて、まず、当該コンテンツの識別情報に含まれる各項目の情報を取得する。ここでは、「ＩＤ番号＝６，ｃｈ＝８，タイトル＝Ａ，放送日＝７月３１日，放送時間＝１９：００〜２０：００」との情報を取得する。消去関連付情報取得プログラムにて、例えば、これらの情報のうち、タイトル及び放送チャンネルが同一の他のコンテンツのＩＤ番号を抽出する場合には、「『ｃｈ＝８  ＡＮＤ  タイトル＝Ａ』をキーとしてＩＤ番号を抽出する」との消去関連付情報を生成することができる。なお、上記「８」及び「Ａ」に該当する条件は、特定するコンテンツにより異なる値となる。このようにして生成・取得された消去関連付情報は、メインメモリに一旦保持される。次に、ＣＰＵは、予め記憶装置に記憶され、メインメモリに展開された一括消去対象選択プログラムを実行し、一括して消去すべき対象となるコンテンツを選択する。図４は、消去関連付情報に基づく識別情報の抽出の具体例を示している。一括消去対象選択プログラムでは、上述の処理によりメインメモリに保持された消去関連付情報に基づいて抽出される識別情報と関連付けられたコンテンツを選択する。図２には図示していないが、識別情報には、関連付けられたコンテンツが格納されている記憶装置上のアドレス等も同時に保持しており、一括消去対象プログラムでは、識別情報に基づいて消去対象となっているコンテンツの記憶されている領域を検索することができる。このため、一括消去対象プログラムでは、ＩＤ番号「６」の識別情報０４０１から生成された消去関連付情報０４０２に基づいて、関連付けられたＩＤ番号「１」の識別情報０４０３、ＩＤ番号「３」の識別情報０４０４で識別されるコンテンツを選択してこれらが格納されている記憶装置上のアドレスから「コンテンツ１」０４０５、「コンテンツ２」０４０６、「コンテンツ３」を検索することができる。このようにして、３個のコンテンツ０４０５、０４０６、０４０７が一括消去の対象として選択されることになる。さらに、コンテンツの消去にかかる構成について説明する。記憶装置には予め消去プログラムが記憶されている。そこで、ＣＰＵがメインメモリに展開された消去プログラムを実行して上記の処理によっ��検索されたアドレスに基づいて、選択されたコンテンツを一括消去する。
【００１８】
次に、本実施形態のコンテンツ処理装置の具体的な実施形態について説明する。図５は、本実施形態のコンテンツ処理装置の一例を示す図である。本図では、コンテンツが放送映像データである場合の例で説明する。本例の装置は、図示を省略したアンテナを介して放送信号を受信する「チューナ」０５０１と、映像データを記録媒体に記録する処理を行う「記録処理手段」０５０２と、映像データを記録媒体から再生する処理を行う「再生処理手段」０５０３と、図示を省略した符号化手段により圧縮符号化された映像データを記録する「記録媒体」０５０４と、ユーザからのコンテンツの記録予約を受け付ける「予約受付手段」０５０５と、各予約情報を管理する「予約情報管理手段」０５０６と、「操作手段」０５０７と、「表示手段」０５０８と、システム全体を制御する「制御手段」０５０９とを備える。このうち、「チューナ」と、「記録処理手段」と、「予約受付手段」と、「予約情報管理手段」とは、蓄積管理部を構成する要素であり、「記録媒体」と、「操作手段」と、「表示手段」と、「制御手段」とは、蓄積管理部、消去関連付情報保持部、消去部又は一括消去対象選択部を構成する要素である。本図から明らかなように、本例の装置は予約情報に基づいてコンテンツの記録予約を行うことが可能なように構成されたものであり、以下においてもかかる予約処理を含む例で説明する。まず記録時の動作のための構成について説明する。ユーザは操作手段を介して予約受付手段に予約を設定し、予約受付手段が当該予約を受け付ける。具体的には、例えば、ユーザがリモコンを利用して所定のコンテンツの予約情報（放送開始日時、チャンネル、Ｇコードなど）を入力した後、リモコンの予約キーを押下する操作に基づいて、かかる予約受付が行われる。次に、制御手段は予約受付手段で受け付けた予約内容をもとに予約情報管理手段の情報を更新する。ここでの更新は、例えば、「連続ドラマＡ」の第５回の予約情報が上記のようなユーザ操作などに基づいて受け付けられた場合に、当該予約情報を既存の予約情報に追加する処理である。次に設定した予約情報の示す放送開始日時が到来した場合の動作のための構成について説明する。制御手段はチューナを制御して予約情報に基づいてチャンネルを選択する。同時に、制御手段は記録処理手段を起動し、予約情報に基づいてチューナにて選局されたチャンネルから受信した映像データなどを記録媒体に記録する。以上のことを繰り返すことによって、ユーザが予約した番組が記録媒体に順次記録される。
【００１９】
図６は、ある時点（ここでは、ユーザが「ドラマＡ」の第５回を予約録画しようとした時点とする）における記録済みコンテンツの識別情報のリストを示す。図６に示す識別情報では、「ＩＤ番号」、「ｃｈ」、「タイトル」、「開始時間」、「モード」等の情報が識別情報としてＧＵＩ表示されているが、これら以外の情報（例えば、コンテンツの記憶装置における記録アドレスなど）を非表示に管理していても良い。なお、「開始時間」とは、放送開始日時を示している。また、「モード」とは、録画モードを示している。ＩＤ番号「１」、「３」、「６」、「９」で示したコンテンツは「ドラマＡ」の第１回から第４回であり、これらは図５で示した予約情報管理手段０５０６によってそれぞれの識別情報と関連付けられて記録され、蓄積されている。同様に、「ドラマＡ」以外にも、「ドラマＢ」、「バラエティＡＡＡ」、「ドキュメンタリー」等のタイトル情報を有する識別情報がリスト表示されている。図６のように各コンテンツの識別情報が表示された状態において、ユーザがＩＤ番号「６」０６０１（「ドラマＡ」の第３回）にカーソルを合わせた状態で、図５で示した操作手段０５０７の消去ボタン（図示せず）などを押して消去対象として選択した場合、制御手段は予約情報管理手段からＩＤ番号「６」の識別情報のタイトル（「ドラマＡ」）などを検索キーとする消去関連付情報を生成して取得する。そして、タイトル「ドラマＡ」と同じタイトルを含む識別情報（ＩＤ番号「６」の識別情報も含む）としてＩＤ番号「１」、「３」、「６」、「９」と関連付けられた４個の識別情報を抽出する。そこで、制御手段は当該消去関連付情報に基づいて消去対象コンテンツとしてＩＤ番号「１」、「３」、「６」、「９」の識別情報を選択し、例えば網掛け等の表示をしてユーザが認識可能なように表示手段にて表示する。ここで、ユーザが操作手段の決定ボタン（図示せず）を押すと、当該ユーザに基づいてＩＤ番号「１」、「３」、「６」、「９」にて識別されるコンテンツが一括消去される。一方、ユーザがＩＤ番号「６」で識別されるコンテンツを選択した場合、それより古い日時に記録されたコンテンツは視聴済みであり消去してもよいのが通例であることに鑑みて、上記処理において、コンテンツ「６」を含みこれより古いコンテンツであるコンテンツを選択するように、「タイトル＝ドラマＡ  ＡＮＤ  開始日時≦２００６／０２／０８」との消去関連付情報を生成しても良い。この場合のコンテンツの新旧判断は、例えば、コンテンツの放送日時などを比較することにより行われる。本図の例は、この古いコンテンツであるコンテンツのＩＤ番号「１」、「３」、「６」の識別情報が選択され、網掛け表示されている場合の例を示している。また、上述のように、ユーザがあるコンテンツを選択した場合、それより古い日時に記録されたコンテンツは視聴済みであり消去してもよいのが通例であるが、ユーザが、古いコンテンツに限らず当該コンテンツと関連付けられた全てのコンテンツ（上例ではＩＤ番号「１」、「３」、「６」、「９」にて識別されるコンテンツ）を操作手段の選択ボタン（図示せず）を操作して選択可能なようにしてもよい。図７は、参考までにかかる選択のための選択用��イコン００７０１が表示されている例を示したものである。ここでユーザが「全タイトル」０７０２（ここでの「タイトル」は「コンテンツ」の意である）を選択した場合、制御手段は予約情報管理手段から「タイトル＝ドラマＡ」との検索条件にて消去関連付情報を生成する。ここでは、ＩＤ番号「１」、「３」、「６」、「９」が該当するので制御手段はこれら全てを消去対象コンテンツとしてＩＤ番号「１」、「３」、「６」、「９」の識別情報を表示手段にて網掛け表示する。または、図８に示すように、ユーザが操作手段の選択ボタン（図示せず）を操作し、選択用アイコン０８０１の「選択タイトル」０８０２（ここでの「タイトル」も「コンテンツ」の意である）を選択できるようにしてもよく、この場合、制御手段は消去対象コンテンツとしてＩＤ番号「６」の識別情報のみを表示手段にて網掛け表示することも可能である。
【００２０】
なお、以上の構成においては、一括削除対象コンテンツの選択に際しての「古い」か否かは、開始日時で判断することを前提に説明したが、この「古い」か否かの判断を視聴日時で判断するようにしてもよい。これは、開始日時の古いものであっても未視聴であって消去できない場合があることに対応することを目的とするものである。また、予約に際して削除不可情報を付与することができ、その場合「古い」コンテンツの選択対象からは自動的に除外されるようにしてもよい。これは、基本的に開始日時（あるいは視聴日時であってもよい）の古いものほど消去してよい蓋然性が高いとの前提に立ちつつ、より柔軟な処理を可能にすることを目的とするものである。
【００２１】
（実施形態１の処理の流れ）図９は、本実施形態のコンテンツ処理装置における処理の流れの一例を示す図である。本図に示すように、まず、コンテンツ蓄積管理ステップＳ０９０１において、コンテンツ処理装置は、コンテンツを蓄積し、管理する。次に、一括消去対象選択ステップＳ０９０２において、コンテンツ処理装置は、一括消去すべき複数のコンテンツを消去関連付情報に基づいて選択する。さらに、消去ステップＳ０９０３において、コンテンツ処理装置は、蓄積管理ステップにて蓄積されているコンテンツを消去する。図１０は、このうち、一括消去対象選択ステップにかかる処理の流れの一例を、図５及び図６を用いて説明した例に即して示したものである。本図に示すように、まず、コンテンツ処理装置は、ユーザが行う消去したいコンテンツ（本例ではＩＤ番号「６」（連続ドラマＡの第３回））にカーソルを合わせた状態での消去ボタンの押下操作に基づく入力を受け付ける（ステップＳ１００１）。次に、コンテンツ処理装置は、前記ステップにての入力受付けにかかるコンテンツ「６」と関連付けられた当該コンテンツよりも古いコンテンツの情報を、消去関連付情報に基づいて取得する（ステップＳ１００２）。ここでは、ＩＤ番号「１」、「３」にて識別されるコンテンツが該当する。次に、コンテンツ処理装置は、消去対象コンテンツとしてＩＤ番号「１」、「３」、「６」にて識別されるコンテンツを網掛け表示して表示手段に表示する（ステップＳ１００３）。そして、コンテンツの消去を許可するトリガーが引かれた場合には、網掛け表示されたＩＤ番号「１」、「３」、「６」にて識別されるコンテンツを、記録手段から消去する（ステップＳ１００４）。
【００２２】
（実施形態１の効果）本実施形態のコンテンツ処理装置により、ユーザがコンテンツを消去する際に、消去対象として選択されたコンテンツに関連付けられたコンテンツのうち古いコンテンツのみを消去するなど、関連付情報に基づいて消去対象コンテンツを一括して選択して消去することが可能となる。
【００２３】
≪実施形態２≫（実施形態２の概要）本実施形態のコンテンツ処理装置は、基本的に実施形態１の装置と共通する。ただし、本例の装置は、ＥＰＧ情報を取得する手段を有する点、蓄積管理部がＥＰＧ情報を利用してコンテンツを蓄積し管理する点及び消去関連付情報をＥＰＧ情報から生成する手段を有する点に特徴を有する。
【００２４】
（実施形態２の構成）図１１は、本実施形態のコンテンツ処理装置の機能ブロックの一例を示す図である。本例の装置の構成は基本的に実施形態１と共通する。ただし、本図に示すように、本例の「コンテンツ処理装置」１１００は、「ＥＰＧ情報取得部」１１０５と、「ＥＰＧ消去関連付情報生成部」１１０６とをさらに有しており、また、「蓄積管理部」１１０１は、ＥＰＧ情報を利用してコンテンツを蓄積し、管理するように構成されている。
【００２５】
「ＥＰＧ情報取得部」１１０５は、ＥＰＧ情報を取得するように構成されている。この取得は、放送局から放送波で送信されたＥＰＧ情報を受信して取得することとしても良いし、コンテンツ処理装置がインターネットに接続可能な場合にはインターネットからダウンロードして取得することとしても良い。ＥＰＧ情報には、一般的に、放送番組名、放送日時、放送チャンネル、ジャンル、出演者などに関する情報が含まれている。また、ＥＰＧ情報には、放送番組が連続ドラマなどの場合には、連続物であることを示す情報を含めることも可能である。蓄積管理部１１０１では、取得したＥＰＧ情報を識別情報とし、蓄積したコンテンツと関連付けることによって、コンテンツを管理することができる。図３１にＥＰＧ情報を利用した識別情報をテーブル状に管理している様子を示す。図３１に示すテーブルでは、ＥＰＧ情報からコンテンツの「ｃｈ（放送チャンネル）」、「タイトル」、「シリーズＩＤ」、「回数」、「放送日」、「放送時間」、「ジャンル」などの情報を取得し、これらに一意の「ＩＤ番号」を付して管理している。「シリーズＩＤ」とは、連続物のドラマなどが同一のシリーズであることを示すための情報である。シリーズＩＤは、連続物の場合にのみ付されるＩＤである。ＩＤ番号「１」、「３」、「６」で識別されるコンテンツは、シリーズＩＤ「０１」が付されており、同一シリーズであることを示している。同様に、ＩＤ番号「２」、「７」で識別されるコンテンツにはシリーズＩＤ「０２」が付されており、これらのコンテンツも同一シリーズであることを示している。このように、シリーズＩＤにより同一シリーズであることが識別可能で有れば、同一シリーズだがタイトルが若干異なるコンテンツ等を関連付けることが可能である。例えば、特定のサッカーチームの試合を録画すると、タイトルに含まれる対戦相手名はコンテンツごとに異なる。しかし、このような場合でもシリーズＩＤが同一であれば、これらのコンテンツを関連付けることが可能となる。「回数」とは、シリーズＩＤが付された連続物であるコンテンツが、何回目であるかを示す情報である。「ジャンル」とは、放送番組がどのような分野の番組であるかを示す情報である。また、ＥＰＧ情報は通例装置外で生成されるものであるので、装置自ら識別情報を生成する負担を軽減することをも可能である。
【００２６】
「ＥＰＧ消去関連付情報生成部」１１０６は、消去関連付情報を、ＥＰＧ情報から生成するように構成されている。本実施形態でＥＰＧ情報を利用してコンテンツを蓄積、管理し、ＥＰＧ情報から消去関連付情報を生成することとしているのは、ＥＰＧ情報の以下のような特性に着目してこれを活用することを目的とするためである。即ち、特にいわゆる連続ドラマなどの帯番組やニュースなどの定時番組のＥＰＧ情報には、その情報の内容に共通する部分が含まれることが多い。さらに、ＥＰＧ情報には様々な内容を含めることが可能であるため、図３１に示すように、連続物であることを示す「シリーズＩＤ」等の項目を備えた識別情報にてコンテンツを管理することも可能である。このため、ＥＰＧ消去関連付情報生成部では、これらのＥＰＧ情報を利用した識別情報から効率的に消去関連付情報を生成することが可能である。例えば、図３１に示す識別情報で識別されるコンテンツのうち、タイトル「Ａ」の連続ドラマの第３回までを一括消去したい場合には、ＥＰＧ消去関連付情報生成部１１０６では、ＥＰＧ情報を利用して、「シリーズＩＤ＝０１  ＡＮＤ  回数≦３」に該当するコンテンツを抽出する消去関連付情報を生成する。また、バラエティ番組のみを消去したい場合などには、「ジャンル＝バラエティ」に該当するコンテンツを抽出する消去関連付け情報を生成する。生成した消去関連付情報は、消去関連付情報保持部１１０２にて保持される。
【００２７】
図１２は本実施形態のコンテンツ処理装置のハードウェア構成の一例を示す概略図である。本実施形態の装置のハードウェア構成は、基本的に実施形態１と共通する。ただし、本図に示すように、本例の装置のＥＰＧ情報取得部１１０５は、「記憶装置（記録媒体）」１２０１と、「メインメモリ」１２０２と、「ＣＰＵ」１２０３と、「インターフェイス」１２０４などから構成され、ＥＰＧ消去関連付情報生成部１１０６は、「記憶装置（記録媒体）」１２０１と、「メインメモリ」１２０２と、「ＣＰＵ」１２０３などから構成される。これらは「システムバス」１２０７などのデータ通信経路によって相互に接続されている。また、記憶装置には予めＥＰＧ情報取得プログラムが記憶されており、例えば、放送局から放送波で送信されたＥＰＧ情報がアンテナを介してチューナで受信されると、ＣＰＵは当該プログラムを実行してＥＰＧ情報を取得してメインメモリに一旦保持する。また、ＣＰＵは蓄積管理プログラムを実行して、記憶したコンテンツを識別情報と関連付けて管理するところ、本例では識別情報としてＥＰＧ情報が利用される。また、記憶装置には消去関連付情報生成プログラムも記憶されており、ＣＰＵがメインメモリに展開された当該プログラムを実行してＥＰＧ情報から消去関連付情報を生成する。具体的には、ＣＰＵが前記ＥＰＧ情報の取得処理によって取得されてメインメモリに保持されたＥＰＧ情報を読み出すとともに、この中から消去関連付情報として選択すべき情報を抽出して消去関連付情報を生成する。この抽出は、例えば、ユーザによるディスプレイに表示された記録済みコンテンツの一覧の中からコンテンツを選択して入力する操作を受け付けて、当該コンテンツに関連付けられている識別情報であるＥＰＧ情報から消去関連付情報を生成する。このＥＰＧ情報から消去関連付情報を生成するための具体的構成は、実施形態１で説明した識別情報から消去関連付情報を生成するための具体的構成と同様である。その余の構成は、実施形態１と同様であるから、説明を省略する。
【００２８】
（実施形態２の処理の流れ）図１３は、本実施形態のコンテンツ処理装置における処理の流れの一例を示す図である。本例の処理の流れは基本的に実施形態１と共通する。ただし、ＥＰＧ情報の取得ステップＳ１３０１において、コンテンツ処理装置は、ＥＰＧ情報を取得する。また、コンテンツの蓄積管理ステップＳ１３０２において、コンテンツ処理装置は、ＥＰＧ情報を利用してコンテンツを蓄積し、管理する。また、消去関連付情報生成ステップＳ１３０３において、コンテンツ処理装置は、消去関連付情報をＥＰＧ情報から生成する。その余の処理の流れは実施形態１と同様であるので、説明を省略する。
【００２９】
（実施形態２の効果）本実施形態のコンテンツ処理装置により、通例装置外で生成されるＥＰＧ情報を識別情報として利用してコンテンツ管理を行うことが可能になるとともに、装置自ら識別情報を生成する負担を軽減することが可能となる。
【００３０】
≪実施形態３≫（実施形態３の概要）本実施形態のコンテンツ処理装置は、基本的に実施形態１又は２の装置と共通する。ただし、本例の装置は、録画予約情報を取得する手段を有する点、蓄積管理部が録画予約情報を利用してコンテンツを蓄積し管理する点及び消去関連付情報を録画予約情報から生成する手段を有する点に特徴を有する。即ち、本実施形態は、端的に言えば実施形態２のＥＰＧ情報を録画予約情報に置き換えたものである。
【００３１】
（実施形態３の構成）図１４は、本実施形態のコンテンツ処理装置の機能ブロックの一例を示す図である。本例の装置の構成は基本的に実施形態１又は２と共通する。ただし、本図に示すように、本例の「コンテンツ処理装置」１４００は、「録画予約情報取得部」１４０７と、「予約消去関連付情報生成部」１４０８とをさらに有しており、また、「蓄積管理部」１４０１は、録画予約情報を利用してコンテンツを蓄積し、管理するように構成されている。
【００３２】
「録画予約情報取得部」１４０７は、録画予約情報を取得するように構成されている。この取得は、ＥＰＧ情報などの装置外で生成された情報の取得として行われてもよいし、例えばユーザによる録画予約のためのリモコン等の操作に基づく入力を受け付けて装置自ら生成して取得してもよい。さらに、ＥＰＧ情報に基づいて、ディスプレイ等に表示された電子番組表から放送番組を選択して録画予約を行う場合には、ＥＰＧ情報に基づいた録画予約情報を取得しても良い。
【００３３】
「予約消去関連付情報生成部」１４０８は、消去関連付情報を、録画予約情報から生成するように構成されている。このように、本実施形態で録画予約情報を利用してコンテンツを蓄積、管理し、録画予約情報から消去関連付情報を生成することとしているのは、録画予約情報の以下のような特性に着目してこれを活用することを目的とするためである。即ち、録画予約情報、特にいわゆる連続ドラマなどの帯番組やニュースなどの定時番組の録画予約情報の場合、その情報の内容に共通する部分が含まれ、これら共通する情報を繰り返し利用する形で録画予約がなされることが多い。例えば、「連続ドラマＤ」が毎週日曜日１９時から２０時までの間１１チャンネルで放送されるものであれば、録画予約情報は、各回分とも録画すべきコンテンツのタイトル、録画曜日、録画時刻、録画チャンネルが共通の情報となるので、１回目の録画予約に際して録画予約情報を生成すれば、２回目以降は同一の情報を繰り返し利用して録画予約情報とすることが可能となる。そこで、この録画予約情報を識別情報として利用し、この録画情報たる識別情報から消去関連付情報を生成すれば、消去関連付情報の生成を効率的に行うことができる。この背景には、帯番組などの場合、消去してよいかどうかの判断が共通する（例えば、連続ドラマのある回を視聴済みであり消去してよいということは、ストーリーの把握上当然それより前の回も既に視聴済みであって消去してよい）蓋然性が高いという経験則が存在する。また、このように既に存在する録画予約情報を識別情報として有効利用することにより、装置自ら改めて識別情報を生成する負担を軽減することをも可能となる。予約消去関連付情報生成部１４０８が消去関連付情報を録画予約情報から生成するための具体的な構成については、実施形態１で説明した識別情報から消去関連付情報を生成するための構成と同様であり、また、実施形態２で説明したＥＰＧ情報から識別情報を生成するための構成とも共通するので、説明を省略する。
【００３４】
図１５は、本実施形態のコンテンツ処理装置のハードウェア構成の一例を示す概略図である。本実施形態のコンテンツ処理装置のハードウェア構成は、基本的に実施形態１と共通する。ただし、本図に示すように、本例の装置の録画予約情報取得部は、「記憶装置（記録媒体）」１５０１と、「メインメモリ」１５０２と、「ＣＰＵ」１５０３と、「インターフェイス」１５０４などから構成され、予約消去関連付情報生成部は、「記憶装置（記録媒体）」と、「メインメモリ」と、「ＣＰＵ」などから構成される。これらも「システムバス」１５０７などのデータ通信経路によって相互に接続されている。また、記憶装置には予め録画予約情報取得プログラムが記憶されている。この場合、利用者からの録画予約のための画面操作などに基づく信号の入力をＩ／Ｏを介してＣＰＵが受け付ける。ＣＰＵは予めメインメモリに展開されている録画予約情報取得プログラムに含まれる命令に従い、受け付けた録画予約のための信号に含まれる情報に基づいて録画予約情報を生成する。ＣＰＵは生成した録画予約情報をメインメモリに格納する。図３２は、かかる録画予約情報取得プログラムの一例を示す。当該プログラムの命令内容は以下のとおりである。まず、録画予約情報を含む入力信号を受け付けて、変数Ｘに格納する（図中の行番号００１）。この入力は、ユーザのリモコン操作などに基づくものである。次に、受け付けた入力信号に含まれる録画予約情報を抽出し、変数Ｘに格納する（行番号００２）。この録画予約情報は、例えば図３３に示すような、毎週日曜日１９時から１９時３０分の間にＣｈ１１で放送される連続ドラマ「Ｄ」を録画予約するとの内容を有するものである。次に、録画予約情報から識別情報を生成して変数Ｘに格納する（行番号００３）。ここでの識別情報の生成は、録画予約情報の中から識別情報として利用すべきものを抽出して取得することにより実行される。そこで、以後この録画予約情報即ち識別情報を録画済みコンテンツと関連付けてコンテンツの蓄積、管理がなされることになる。コンテンツの蓄積、管理の処理要領は実施形態１で説明したところと同様である。次に、消去関連付情報の生成については、前記処理にて生成された録画予約情報をＣＰＵがメインメモリから読み出し、消去関連付情報生成プログラムを実行することにより行うが、その具体的な処理要領は、実施形態２でＥＰＧ情報から消去関連付情報を生成する場合について説明したところと共通する。
【００３５】
（実施形態３の処理の流れ）本例の処理の流れは基本的に実施形態２におけるＥＰＧ情報を録画予約情報に置き換えたものであるので、図１３を用いて実施形態２について説明したところと共通する。ただし、図１３におけるＥＰＧ情報取得ステップＳ１３０１に代わる録画予約情報取得ステップでは、当該情報をコンテンツ処理装置自らが生成して取得してもよい。かかる場合、当該ステップは、例えば図１６に示すようなサブステップを有する。即ち、本図の例では、は、まずコンテンツ処理装置は、ユーザがリモコン等を操作して行った録画予約情報の入力を受け付ける（ステップＳ１６０１）。次に、コンテンツ処理装置は、前記ステップにて受け付けた入力信号に含まれる録画予約情報から識別情報を生成して取得する（ステップＳ１６０２）。ここでの生成は、録画予約情報をそのまま識別情報とするという意味である。これにより、以後当該録画予約情報は、識別情報として管理されることが可能となる。生成、取得された識別情報は、メインメモリに一旦保持された後、記憶装置に記憶される。
【００３６】
（実施形態３の効果）本実施形態のコンテンツ処理装置により、コンテンツを録画予約により記録する場合に既に存在する録画予約情報を識別情報として利用してコンテンツ管理を行うことが可能となるとともに、かかる有効利用により装置自ら改めて識別情報を生成する負担を軽減することが可能となる。
【００３７】
≪実施形態４≫（実施形態４の概要）本実施形態のコンテンツ処理装置は、基本的に実施形態１から３のいずれか一の装置と共通する。ただし、本例の装置は、一括消去対象選択部が蓄積管理部に蓄積し管理されている一のコンテンツを特定する手段と、特定されたコンテンツにかかる消去関連付情報により関連付けられている他のコンテンツを特定する手段とを有している点及び一括消去対象選択部が特定されたコンテンツを一括消去すべきコンテンツとして選択出力するように構成されている点に特徴を有する。
【００３８】
（実施形態４の構成）図１７は、本実施形態のコンテンツ処理装置の機能ブロックの一例を示す図である。本例の装置の構成は基本的に実施形態１から３のいずれか一と共通する。ただし、本実施形態の「コンテンツ処理装置」１７００の「一括消去対象選択部」１７０４は、「コンテンツ特定手段」１７０９と、「他コンテンツ特定手段」１７１０とを有する。
【００３９】
「コンテンツ特定手段」１７０９は、「蓄積管理部」１７０１に蓄積し管理されている一のコンテンツを特定するように構成されている。一のコンテンツの特定は、例えば、実施形態１で図６‐図８を用いて説明したように、ユーザが画面上に表示された蓄積管理部に蓄積、管理されているコンテンツの識別情報リストの中から特定のコンテンツ（図６の例ではコンテンツ「６」）を選択する操作の入力を受け付けることによって実行される。
【００４０】
「他コンテンツ特定手段」１７１０は、特定されたコンテンツに基づいた消去関連付情報により関連付けられている他のコンテンツを特定するように構成されている。図７の例に即せば、特定されたコンテンツであるＩＤ番号「６」のコンテンツにかかる消去関連付情報が「タイトル＝ドラマＡ」である場合には、当該情報によって関連付けられている他のコンテンツとしてコンテンツ「１」、「３」、「９」が特定される。他コンテンツ特定手段にて特定される対象は、生成される消去関連付情報により変化する。
【００４１】
さらに本実施形態では、「一括消去対象選択部」１７０４が特定されたコンテンツを一括消去すべきコンテンツとして選択出力するように構成されている。図７では、かかる一括消去すべきコンテンツとしてコンテンツ「１」、「３」、「６」、「９」が選択されて表示手段に表示する形で出力されている例が示されている。このようにして選択出力されたコンテンツは、消去部１７０３により一括消去されるが、当該一括消去のための具体的構成は、実施形態１について説明したところと同様である。かかる構成は、一括消去すべきコンテンツをユーザに選択可能に表示することで、ユーザの選択（古いコンテンツのみを消去するか、全コンテンツを消去するかなど）に基づく柔軟な消去処理を実行可能にすることを目的とする。
【００４２】
図１８は、本実施形態のコンテンツ処理装置のハードウェア構成の一例を示す概略図である。本実施形態の装置のハードウェア構成は、基本的に実施形態１から３のいずれか一と共通する。ただし、本図に示すように、本例の装置の一括消去対象選択部を構成する記憶装置には、予めコンテンツ等特定プログラムが記憶されている。そして、ＣＰＵが例えばディスプレイ（表示手段）に表示された記録済みコンテンツリストの中からユーザが選択して入力した入力信号を受け付けると、ＣＰＵが当該コンテンツ等特定プログラムを実行することにより、当該信号に含まれる識別情報に基づいて、当該識別情報に関連付けられたコンテンツを選択してディスプレイに表示する。記憶装置には、識別情報が関連付けられてコンテンツが記憶されている。まず、利用者からの一のコンテンツを識別する情報の入力をＩ／Ｏを介してＣＰＵが受け付ける。予めメインメモリに展開されているコンテンツ等特定プログラムが、受け付けたコンテンツを識別する情報を用いて同じくメインメモリに保持されている消去関連付情報を検索する。消去関連付情報は、複数のコンテンツの識別情報を検索し、一括消去対象としてまとめて読出可能とするために所定のメモリ領域に保持されている情報である。そして、検索キーとした情報が含まれるメモリ領域が発見されると、その領域に記録されている識別情報が読み出され、コンテンツ等特定プログラムの出力値として、メインメモリの特定領域に書き込まれる。つまり、この出力値が一括消去すべき複数のコンテンツを識別する識別情報を構成する。さらに、ＣＰＵは、当該プログラムを実行することにより、ユーザが当該表示に基づいて行った操作（例えば図７に示す選択用アイコン０７０１の「古いタイトル」（ここでの「タイトル」も「コンテンツ」の意である）のクリック）に基づく入力信号に基づいて、当該条件に合致するコンテンツ（例えば、当該コンテンツより古いコンテンツ）を選択して表示する。以上により、コンテンツを一括消去すべきコンテンツとして選択出力する処理が実現される。その余の構成は、実施形態１から３のいずれか一と同様であるから、説明を省略する。
【００４３】
（実施形態４の処理の流れ）本実施形態のコンテンツ処理装置における処理の流れは、基本的に図９などを用いて説明した実施形態１から３のいずれか一と共通する。ただし、図９における一括消去対象選択ステップＳ０９０２は、例えば図１９に示すようなサブステップを有する。即ち、まず、コンテンツ処理装置は、ユーザが画面上に表示された蓄積管理部に蓄積、管理されているコンテンツの中から一のコンテンツを特定する操作の入力を受け付ける（ステップＳ１９０１）。次に、コンテンツ処理装置は、前記ステップにて特定されたコンテンツにかかる消去関連付情報により関連付けられている他のコンテンツを特定する（ステップＳ１９０２）。さらに、コンテンツ処理装置は、特定されたコンテンツ及び他コンテンツを一括消去すべきコンテンツとして選択出力する（ステップＳ１９０３）。その余の処理の流れは、実施形態１から３のいずれか一と同様であるから、説明を省略する。
【００４４】
（実施形態４の効果）本実施形態のコンテンツ処理装置により、一括消去すべきコンテンツをユーザに選択可能に表示することで、ユーザの選択に基づく柔軟な消去処理が可能となる。
【００４５】
≪実施形態５≫（実施形態５の概要）本実施形態のコンテンツ処理装置は、基本的に実施形態２又は３の装置と共通する。ただし、本例の装置は、消去関連付情報生成部が生成される消去関連付情報が定める消去すべきコンテンツの関連性を定めるための条件である条件情報を保持する手段を有する点に特徴を有する。
【００４６】
（実施形態５の構成）図２０は、本実施形態のコンテンツ処理装置の機能ブロックの一例を示す図である。本例の装置の構成は基本的に実施形態２又は３と共通する。ただし、本実施形態の「コンテンツ処理装置」２０００の「消去関連付情報生成部」２００６は、「条件情報保持手段」２０１１を有する。「消去関連付情報生成部」とは、実施形態２に記載の「ＥＰＧ消去関連付情報生成部」と実施形態３に記載の「予約消去関連付情報生成部」の総称である。
【００４７】
「条件情報保持手段」２０１１は、生成される消去関連付情報が定める消去すべきコンテンツの関連性を定めるための条件である条件情報を保持するように構成されている。「消去すべきコンテンツの関連性を定めるための条件」とは、典型的には消去すべきコンテンツが複数ある場合に、ある共通項（指標）を有するコンテンツを一括消去対象とするために、いかなる共通項（指標）でこれらのコンテンツどうしを関連付けるかを定めるための条件を指す。具体的には、例えば実施形態１で図６‐図８を用いて説明した例において、コンテンツ「１」、「３」、「６」、「９」を一括消去する場合の共通項は、いずれも「Ａ」という共通のタイトルを有するコンテンツであるということである。そこで、この場合には、「タイトル＝Ａ」との条件が条件情報の内容であるということになる。また、コンテンツ「６」を含みこれより放送日の古いコンテンツのみを一括消去する場合は、「タイトル＝Ａ  ＡＮＤ  放送日≦２００６／０２／２８」との条件が条件情報の内容となる。条件情報保持手段では、これらの条件情報を予め複数保持しておく。消去関連付情報生成部では、これらの保持された一または複数を組み合わせた条件情報を選択するだけで、消去関連付情報を生成することができる。条件情報は、識別情報から同一項目に所定数以上存在するキーワードを検索することで予め作成することができる。例えば、図３１に示すテーブルにてコンテンツの識別情報が蓄積管理部に蓄積、管理されている場合にて具体例を示す。図３１に示すテーブルにおいて、「ｃｈ」の項目には「８」、「１０」とのキーワードが複数存在する。このため、「ｃｈ＝８」あるいは「ｃｈ＝１０」との条件を条件情報として予め保持しておくことで、消去関連付情報を効率的に生成することができる。同様にして、「タイトル＝Ａ」、「タイトル＝Ｂ」、「シリーズＩＤ＝０１」などの条件も条件情報として保持しておく。いま仮に、タイトルが「Ａ」のコンテンツを消去したい場合には、条件情報保持手段にて保持されている「タイトル＝Ａ」との条件情報を読み出すことで効率的にＩＤ番号「１」、「３」、「６」の識別情報で識別されるコンテンツを関連付ける消去関連付情報を生成することができるのである。
【００４８】
また、実施形態１で述べたように、基本的に選択したコンテンツより記録日時の古いコンテンツを一括消去するとしつつ、記録日時の古いものであっても未視聴であって消去できないコンテンツがある場合のように、例外的に一定の条件に該当するものを上記の一括消去対象から除外すべき場合がある。そこで、このような処理を可能とするための具体的実施形態について次に説明する。この場合、条件情報は、一括処理における例外的処理を可能にするための条件をも含む情報ということになる。これは、例えば、一括処理の原則的条件として「選択したコンテンツより古いコンテンツを一括して消去する」といった条件を定めた場合に、この原則的条件に該当するが例外的に消去したくないコンテンツがある場合などが考えられるので、かかる場合に柔軟に対応できる構成とすることを目的としたものである。このための具体的構成の一例としては、例えば上記のようなＩＤ番号「１」、「３」、「６」のうちＩＤ番号「１」の識別情報にて識別されるコンテンツだけは消去したくない場合、当該ＩＤ番号「１」の識別情報中に「消去不可情報」を含めておくという構成が考えられる。この消去不可情報は例えば一定の文字列・符号列などである。消去不可情報を含めて蓄積管理部に蓄積されたコンテンツが管理されたテーブルを図３４に示す。図３４は、図３１に示すテーブルに加えて、消去不可情報の項目を付加したものであり、消去不可であるコンテンツの識別情報は「１」、消去可のコンテンツの識別情報は「０」で示している。いま仮に、タイトルＡの連続ドラマの第３回よりも以前のコンテンツを消去したいけど、第１回はもう一度見たいので（又は未視聴であるので）消去したくない、という場合には、消去関連付情報を、「タイトル＝Ａ（又は、シリーズＩＤ＝０１）  ＡＮＤ  回数≦３  ＮＯＴ  消去不可情報＝０」とすることで、上記の要望を満たす消去関連付情報を生成することができる。消去不可情報は、例えば、録画後のデフォルト値は「１（消去不可）」とし、視聴すると自動的に「０（消去可）」とするようにしても良いし、ユーザがリモコンなどの操作によって独自に消去不可情報を入力することとしても良い。
【００４９】
図２１は本実施形態のコンテンツ処理装置のハードウェア構成の一例を示す概略図である。本実施形態の装置は、基本的に実施形態２又は３について図１２又は図１５を用いて説明したところと共通する。ただし、ＣＰＵは消去関連付情報生成プログラムを実行して消去関連付情報を生成する際に、まず、メインメモリに格納された条件情報を取得し、当該条件情報に基づいて消去関連付情報を生成するという手順を踏むことになる。その具体的構成の一例は以下のとおりである。記憶装置には、識別信号が関連付けられてコンテンツが記憶されている。そこでまず、あるコンテンツが選択されてメインメモリに読み出されると、当該コンテンツに関連付けられている識別情報もメインメモリに読み出されて取得される。すると、ＣＰＵは消去関連付情報生成プログラムを実行して、メインメモリに格納されている当該コンテンツと同じ条件情報から消去関連付情報を生成する。
【００５０】
（実施形態５の処理の流れ）本実施形態のコンテンツ処理装置における処理の流れは、基本的に図１３などを用いて説明した実施形態２又は３のいずれか一と共通する。ただし、図１３における消去関連付情報生成ステップＳ１３０３は、例えば図２２に示すようなサブステップを有する。即ち、まず、コンテンツ処理装置は、条件情報を取得し、記憶装置に記憶する（ステップＳ２２０１）。この取得は、典型的には、識別情報に基づいて取得される。次に、コンテンツ処理装置は、前記ステップにて取得された条件情報に基づいて消去関連付情報を生成する（ステップＳ２２０２）。その余の処理の流れは、実施形態２又は３と同様であるから、説明を省略する。
【００５１】
（実施形態５の効果）本実施形態のコンテンツ処理装置により、条件情報を利用することで、爾後の消去関連付情報の生成を簡便に行うことが可能となる。また、例えば消去してはいけないコンテンツを消去対象から除外するなどの条件を定めることにより、一括消去を柔軟に行うことができる。
【００５２】
≪実施形態６≫（実施形態６の概要）本実施形態のコンテンツ処理装置は、基本的に実施形態５の装置と共通するが、条件情報を入力させるための手段をさらに有する点に特徴を有する。
【００５３】
（実施形態６の構成）図２３は、本実施形態のコンテンツ処理装置の機能ブロックの一例を示す図である。本例の装置は基本的に実施形態５の装置と共通する。ただし、本図に示すように、本例の「コンテンツ処理装置」２３００は、条件情報を入力させるための「条件情報入力部」２３１２をさらに有する。当該入力は、例えば、ユーザの画面操作に基づく入力を受け付けることにより実行される。その具体的構成としては、例えば実施形態１で図３などを用いて説明したハードウェア構成に従い、あるコンテンツに関連付けられた識別情報が取得されると、録画済みコンテンツリストがユーザ操作画面に表示されるとともに、ユーザに条件情報の入力を促すアイコン等が表示される。図７は、かかる一例を示すもので、あるコンテンツとしてＩＤ番号「６」の識別情報が選択された場合にこれと同じ識別情報の項目（例えば「タイトル＝Ａ」）を有するコンテンツ「１」、「３」、「６」、「９」が網掛け表示されるとともに、条件情報の決定を促すアイコンとして選択用アイコン０７０１が表示されている例を示す。例えば、ユーザが選択用アイコン中から「全タイトル」を選択して決定すると、「タイトル＝Ａ」との条件情報が生成され、当該条件情報に基づいて消去関連付情報が生成される。また、図８に示すように、ユーザが選択用アイコン中から「選択タイトル」としてＩＤ番号「６」の識別情報を選択して入力すると、条件情報としてＩＤ番号「６」に固有の識別情報だけからなる条件情報（具体的には「ＩＤ番号＝６」との条件情報）が生成され、当該条件情報に基づいて消去関連付情報が生成される。さらに、図示は省略したが、例えばユーザが削除不可情報を入力できるようにコンテンツごとに削除不可を入力するためのチェックボックスを表示してもよい。かかるチェックが入れられたコンテンツは仮にユーザが選択した条件に合致するものであっても、消去関連付情報の生成に際して消去対象コンテンツから除外される。
【００５４】
次に、図２４は、本実施形態のコンテンツ処理装置のうち、条件情報入力部２３１２のみにかかるハードウェア構成を抽出した一例を示す概略図である。本図に示すように、本例の装置の条件情報入力部は、「記憶装置（記録媒体）」２４０１と、「メインメモリ」２４０２と、「ＣＰＵ」２４０３と、「Ｉ／Ｏ」２４０５と、「ディスプレイ」２４０６などから構成される。これらは「システムバス」２４０７などのデータ通信経路によって相互に接続されている。記憶装置には、識別信号が関連付けられてコンテンツが記憶されている。まず、利用者からの一のコンテンツを識別する信号の入力をＩ／Ｏを介してＣＰＵが受け付ける。すると、ＣＰＵは、当該コンテンツをメインメモリに読み出し、Ｉ／Ｏを介してディスプレイに表示するとともに、当該識別情報と同じ識別情報を有するコンテンツもメインメモリに読み出した後ディスプレイ上に表示する。さらに、ＣＰＵは条件情報入力プログラムを実行して、当該プログラム中に含まれる生成・表示命令情報に従ってユーザの条件情報の入力を促すための選択用アイコンやチェックボックスを生成してディスプレイ上に表示する。そして、ユーザが選択用アイコン等に入力を行うと、当該入力信号をＩ／Ｏを介してＣＰＵが受け付ける。そして、ＣＰＵは当該入力信号に含まれる情報に基づいて条件情報を生成して取得する。取得した条件情報はメインメモリの特定領域に書き込まれて格納される。つまり、この場合にはこの条件情報入力プログラムの出力値が一括消去すべき複数のコンテンツを識別する識別情報を構成することになる。その余の構成は実施形態５と同様であるから、説明を省略する。
【００５５】
（実施形態６の処理の流れ）図２５は、本実施形態のコンテンツ処理装置における処理の流れの一例を示す図である。本実施形態の処理の流れは、基本的に実施形態２について図１４を用いて説明したところと共通する（ただし、図１４の「ＥＰＧ情報」は「ＥＰＧ情報及び／又は録画予約情報」に読み替える）が、本例では、さらに、条件情報入力ステップＳ２５０３を有し、当該ステップにおいて、コンテンツ処理装置は、ユーザの画面操作等に基づく条件情報の入力を受け付ける。その余の処理の流れは、実施形態５と同様である。
【００５６】
（実施形態６の効果）本実施形態のコンテンツ処理装置により、ユーザの条件情報の入力に基づいて消去条件を定めることができるので、消去対象コンテンツの選択を一層柔軟に行うことが可能となる。
【００５７】
≪実施形態７≫（実施形態７の概要）本実施形態のコンテンツ処理装置は、基本的に実施形態１から６のいずれか一の装置と共通するが、選択部にて選択された一括消去すべきコンテンツを表示する手段をさらに有する点に特徴を有する。
【００５８】
（実施形態７の構成）図２６は、本実施形態のコンテンツ処理装置の機能ブロックの一例を示す図である。本例の装置は基本的に実施形態１から６のいずれか一の装置と共通する。ただし、本図に示すように、本例の「コンテンツ処理装置」２６００は、「ＧＵＩ部」２６０５をさらに有する。
【００５９】
「ＧＵＩ部」２６０５は、一括消去対象選択部２６０４にて選択された一括消去すべきコンテンツを表示するように構成されている。具体的な表示例は、実施形態１について図６‐図８を用いて示したとおりである。図６‐図８は図２、図３１、図３４等のテーブル状に管理された識別情報をＧＵＩ部によりディスプレイ等に表示した場合を例示している。かかる構成は、ユーザがかかるＧＵＩ環境にての表示に基づく選択操作を可能にすることで、ユーザにとっての画面操作の容易性、利便性の向上を図るとともに、ユーザの選択に応じた柔軟な消去処理を可能にすることを目的とする。
【００６０】
図２７は、本実施形態のコンテンツ処理装置のハードウェア構成の一例を示す概略図である。本例の装置のハードウェア構成は、基本的に実施形態１から６のいずれか一と共通する。ただし、ＧＵＩ部は、「記憶装置（記録媒体）」２７０１と、「メインメモリ」２７０２と、「ＣＰＵ」２７０３と、「Ｉ／Ｏ」２７０５と、「ディスプレイ」２７０６などから構成される。これらは「システムバス」２７０７などのデータ通信経路によって相互に接続されている。記憶装置には予め表示プログラムが記憶されており、一括消去すべきコンテンツが選択された場合、ＣＰＵがメインメモリに展開された当該プログラムを実行することにより、当該一括消去すべきコンテンツをディスプレイに表示する。その余の構成は実施形態１から６のいずれか一と同様である。
【００６１】
（実施形態７の処理の流れ）図２８は、本実施形態のコンテンツ処理装置における処理の流れの一例を示す図である。本例の処理の流れは、基本的に実施形態１から６のいずれか一と共通する。ただし、本図に示すように、一括消去対象選択コンテンツ表示ステップＳ２８０６において、コンテンツ処理装置は一括消去対象選択ステップＳ２８０５にて選択された一括消去すべきコンテンツを表示する。その余の処理の流れは実施形態１から６のいずれか一と同様であるので、説明を省略する。
【００６２】
（実施形態７の効果）本実施形態のコンテンツ処理装置により、ユーザがかかる表示に基づく選択操作を可能にすることで、ユーザの利便性の向上を図るとともに、ユーザの選択に応じた柔軟な消去処理を行うことが可能となる。
【００６３】
≪実施形態８≫（実施形態８の概要）本実施形態のコンテンツ処理装置は、基本的に実施形態７の装置と共通するが、ＧＵＩ部が、条件情報入力部に条件情報を入力させるためのインターフェイス機能をも有する点に特徴を有する。
【００６４】
（実施形態８の構成）図２９は、本実施形態のコンテンツ処理装置の機能ブロックの一例を示す図である。本例の装置は基本的に実施形態７と共通する。ただし、本図に示すように、「ＧＵＩ部」２９１１は、「条件情報入力部」２９１０に条件情報を入力させるためのインターフェイス機能をも有する。かかる構成は、ユーザがディスプレイ上に表示された一括消去対象コンテンツの表示を見ながら、それに基づく条件情報を入力できるようにすることで、選択済みコンテンツに消去関連付情報の追加、変更等ができるようにすることを目的とし、これにより、ユーザの使用の利便性及びユーザの選択に応じた柔軟な消去処理のさらなる向上を図ったものである。「条件情報を入力させるためのインターフェイス機能」は、具体的には、ディスプレイ上にユーザの条件情報の入力を促すアイコン等を表示し、これを利用したユーザ操作に基づく条件情報の入力信号をＧＵＩ部２９１１が受け付けて爾後の消去関連付情報の追加、変更等の処理を可能ならしめるためのインターフェイスを提供する機能である。
【００６５】
図３０は、本実施形態のコンテンツ処理装置のハードウェア構成の一例を示す概略図である。本実施形態の装置のハードウェア構成は基本的に実施形態７について図２７を用いて説明したところと共通する。ただし、本実施形態では条件情報入力部を有し、当該部は、「記憶装置（記録媒体）」３００１と、「メインメモリ」３００２と、「ＣＰＵ」３００３と、「Ｉ／Ｏ」３００５と、「ディスプレイ」３００６などから構成される。また、ＧＵＩ部を構成する構成要素はインターフェイス機能をも有している。具体的には、ＣＰＵが表示プログラムを実行してディスプレイ上に一括消去対象コンテンツのリストを表示する。これに対し、ユーザがこれらのリストの中からあるコンテンツを消去対象から除外したいと考えて、当該コンテンツに消去不可情報を付与するため当該コンテンツの削除不可を入力するためのチェックボックスにチェックを入れる操作を行うと、ＣＰＵが当該操作に基づく入力信号をＩ／Ｏを介して受け付ける。そして、ＣＰＵは当該入力信号に含まれる消去不可情報にかかるコンテンツを識別する信号を用いてメインメモリに保持されている消去関連付情報を検索する。そして、検索キーとした識別信号が含まれるメモリ領域が発見されると、その領域に記録されている識別信号のうち当該消去不可情報にかかるコンテンツの識別情報が読み出され、これを消去関連付情報から削除する処理がなされる。削除後の消去関連付情報は、メインメモリの特定領域に書き込まれる。従って、削除後のこの出力値が一括消去すべき複数のコンテンツを識別する識別情報を構成する。その余の構成は実施形態７の構成と同様である。
【００６６】
（実施形態８の効果）本実施形態のコンテンツ処理装置により、ユーザの使用の利便性及びユーザの選択に応じた柔軟な消去処理のさらなる向上が可能となる。
【図面の簡単な説明】
【００６７】
【図１】実施形態１の機能ブロック図
【図２】識別情報の具体例を示す図
【図３】実施形態１のハードウェア構成を示す図
【図４】消去関連付情報によりコンテンツが関連付けされる様子を説明する図
【図５】実施形態１の具体的構成を示す図
【図６】識別情報をリスト表示した場合の具体例を示す図（１）
【図７】識別情報をリスト表示した場合の具体例を示す図（２）
【図８】識別情報をリスト表示した場合の具体例を示す図（３）
【図９】実施形態１の処理の流れを説明する図
【図１０】具体的構成に即した処理の流れを説明する図
【図１１】実施形態２の機能ブロック図
【図１２】実施形態２のハードウェア構成を示す図
【図１３】実施形態２の処理の流れを説明する図
【図１４】実施形態３の機能ブロック図
【図１５】実施形態３のハードウェア構成を示す図
【図１６】録画予約情報取得ステップを詳細に説明する図
【図１７】実施形態４の機能ブロック図
【図１８】実施形態４のハードウェア構成を示す図
【図１９】一括消去対象選択ステップを詳細に説明する図
【図２０】実施形態５の機能ブロック図
【図２１】実施形態５のハードウェア構成を示す図
【図２２】消去関連付情報生成ステップを詳細に説明する図
【図２３】実施形態６の機能ブロック図
【図２４】実施形態６のハードウェア構成を示す図
【図２５】実施形態６の処理の流れを説明する図
【図２６】実施形態７の機能ブロック図
【図２７】実施形態７のハードウェア構成を示す図
【図２８】実施形態７の処理の流れを説明する図
【図２９】実施形態８の機能ブロック図
【図３０】実施形態８のハードウェア構成を示す図
【図３１】ＥＰＧ情報から生成した識別情報の具体例を示す図
【図３２】録画予約情報取得プログラムの一例を示す図
【図３３】録画予約内容の一例を示す図
【図３４】消去不可情報を含めた識別情報の具体例を示す図
【符号の説明】
【００６８】
０１００      コンテンツ処理装置
０１０１      蓄積管理部
０１０２      消去関連付情報保持部
０１０３      消去部
０１０４      一括消去対象選択部
１１０５      ＥＰＧ情報取得部
１１０６      ＥＰＧ消去関連付情報生成部
１４０７      録画予約情報取得部
１４０８      予約消去関連付情報生成部
１７０９      コンテンツ特定手段
１７１０      他コンテンツ特定手段
２０１１      条件情報保持手段
２３１２      条件情報入力部
２６０５      ＧＵＩ部
Ｓ０９０１    コンテンツ蓄積管理ステップ
Ｓ０９０２    一括消去対象選択ステップ
Ｓ０９０３    消去ステップ
【図１】
2007312042.tif 000003
【図２】
2007312042.tif 000004
【図３】
2007312042.tif 000005
【図４】
2007312042.tif 000006
【図５】
2007312042.tif 000007
【図６】
2007312042.tif 000008
【図７】
2007312042.tif 000009
【図８】
2007312042.tif 000010
【図９】
2007312042.tif 000011
【図１０】
2007312042.tif 000012
【図１１】
2007312042.tif 000013
【図１２】
2007312042.tif 000014
【図１３】
2007312042.tif 000015
【図１４】
2007312042.tif 000016
【図１５】
2007312042.tif 000017
【図１６】
2007312042.tif 000018
【図１７】
2007312042.tif 000019
【図１８】
2007312042.tif 000020
【図１９】
2007312042.tif 000021
【図２０】
2007312042.tif 000022
【図２１】
2007312042.tif 000023
【図２２】
2007312042.tif 000024
【図２３】
2007312042.tif 000025
【図２４】
2007312042.tif 000026
【図２５】
2007312042.tif 000027
【図２６】
2007312042.tif 000028
【図２７】
2007312042.tif 000029
【図２８】
2007312042.tif 000030
【図２９】
2007312042.tif 000031
【図３０】
2007312042.tif 000032
【図３１】
2007312042.tif 000033
【図３２】
2007312042.tif 000034
【図３３】
2007312042.tif 000035
【図３４】
2007312042.tif 000036